(57)【特許請求の範囲】
【請求項１】
壁戸棚をとり付けるための手段であって、
吊り下げ用ブラケット（１０）及び支持体（１７）を含み、
前記吊り下げ用ブラケット（１０）は、
壁戸棚（２９）がフック歯（１１）によって壁（１８）に固定される前記支持体（１７）に引っ掛けられ、摺動部材（１２）がベース（１３）上を摺動可能で、前記フック歯（１１）と一体であるリードスクリュー（１４）による摺動部材から突出する前記フック歯（１１）の突出量の調節機構体を支持するベース（１３）と、
リードスクリュー（１５）による高さ調節機構体と、
前記支持体（１７）とビード（２１）と、を組み合わせて備え、
前記ビード（２１）が、前記フック歯（１１）より下で、前記フック歯（１１）に対して実質的に対向する位置で、前記摺動部材（１２）上へ螺合され、
前記ビード（２１）の先端または端部（２３）が、前記壁（１８）に固定された前記支持体（１７）が有する部分（１６）から直接折り曲げられる水平フラップ（１６Ａ）と係合することを特徴とする、壁戸棚をとり付けるための手段。
【請求項２】
前記ビード（２１）の軸は、前記フック歯（１１）の周縁の下端と実質的に同じ高さであることを特徴とする、請求項１に記載の壁戸棚をとり付けるための手段。
【請求項３】
前記支持体（１７）が、前記支持体（１７）の端部に形成される側方端止め（１６Ｂ）を備えることを特徴とする、請求項１に記載の壁戸棚をとり付けるための手段。
【請求項４】
前記フック歯（１１）が、前記支持体（１７）が有する部分（１６）に引っ掛けられ、
前記部分（１６）が前記壁（１８）とともに、前記フック歯（１１）が収容されるチャンネル（２０）を画定し、前記水平フラップ（１６Ａ）が前記部分（１６）から折り曲げられることを特徴とする、請求項１に記載の壁戸棚をとり付けるための手段。
【請求項５】
前記支持体（１７）が、壁（１８）の設置部分と上部翼（ＡＳ）と下部翼（ＡＩ）から形成されるＣ字形部分を有することを特徴とする、請求項１〜４のうちいずれか一項に記載の壁戸棚をとり付けるための手段。
【請求項６】
前記ビード（２１）が、水平フラップ（１６Ａ）の下で、前記上部翼（ＡＳ）より実質的に上に位置する部分（１６）に係合されることを特徴とする、請求項５に記載の壁戸棚をとり付けるための手段。
【請求項７】
それぞれのリードスクリュー（１４及び１５）による、摺動部材から突出する前記フック歯（１１）の突出量の調節機構体と、高さの調節機構体とを備えることを特徴とする、請求項１に記載の壁戸棚をとり付けるための手段。
【請求項８】
前記フック歯（１１）がリードスクリュー（１４）と一体の円形頭部の形態を有し、
前記ビード（２１）の軸が、同じ前記フック歯（１１）を画定する前記円形頭部の周縁に対して実質的に接することを特徴とする、請求項２に記載の壁戸棚をとり付けるための手段。
【発明の詳細な説明】
【技術分野】
【０００１】
本発明は、壁に固定された支持体、一般に、好適に形づくられた金属棒またはプレートに引っ掛けられる、壁戸棚のための万全の外れ防止システムを有する隠された吊り下げ用ブラケットに関するものである。
【背景技術】
【０００２】
当業者にはよく知られているように、壁に戸棚を拘束するためのシステムは、戸棚のライニングの後方に設置される隠された吊り下げ用ブラケット装置の使用を想定している。前記吊り下げ用ブラケットは、壁に固定される上記の棒またはプレートに自由に引っ掛けることができるフックを備える。
【０００３】
２つの調節機構体は一般に、吊り下げ用ブラケットの深さ（水平）及び高さ（垂直）の調節のための、それぞれのリードスクリューを備えた前記フックと協働する。
【０００４】
この形式の隠された吊り下げ用ブラケットは、たとえば、特許文献１及び特許文献２、ならびに特許文献３から知られており、それらは、任意のさらなる説明のために参照し、本明細書の構成要素であると考えなければならない。
【先行技術文献】
【特許文献】
【０００５】
【特許文献１】欧州特許第１５４９１７７号明細書
【特許文献２】欧州特許第２２１９４９５号明細書
【特許文献３】欧州特許出願公開第２０１１７１２４８１号明細書
【発明の概要】
【発明が解決しようとする課題】
【０００６】
引っ掛けられた戸棚に上向きの力が加えられると、これは支持体から外れて落下し、物体だけでなく何よりも人に、深刻な損害を引き起こす可能性がある。比較的床から低い高さに壁戸棚を取り付ける習慣がますます増加しているため、この可能性は現在、さらに高くなっており、上記のように、これは特に子供による、偶発的な外れのリスクを増大させる。
【０００７】
さらに、多くの国において、壁戸棚における偶発的な外れ防止システムの提供を必要とする安全規制が施行されている、または施行される見込みである。
【０００８】
２０１０年３月５日に同じ出願人により出願された欧州特許出願公開第Ａ１０７０８１４７．３号明細書は、壁戸棚に加えられる上向きの力によって引き起こされる、その支持体から壁戸棚が偶発的に外れることを避けるための、上述の問題に対する非常に申し分のない解決方法を提案している。
【０００９】
説明のために参照し、本明細書の構成要素であると考えなければならない欧州特許出願公開第Ａ１０７０８１４７．３号明細書によると、戸棚が吊り下げ用ブラケット装置のフックによって壁に固定される外れ防止システムが、壁戸棚のために提案されており、それは、着脱可能な往復式拘束手段が、前記フックと前記支持体との間に想定されることを特徴とする。
【００１０】
同じ戸棚の肩部に対して横向きであり、上向きの垂直力と合成される可能性もある水平力による、壁戸棚のその支持体からの偶発的な外れを防止することも非常に望ましく、必要である。
【００１１】
２０１０年４月１５日に同じ出願人により出願された欧州特許出願公開第Ａ１４１６４７３０．５号明細書は、同じ戸棚の肩部に対して横向きであり、上向きの垂直力と合成される可能性もある水平力によって引き起こされる、その支持体から戸棚が偶発的に外れることを避けるための、上記の問題に対する非常に申し分のない解決方法を提案している。
【００１２】
説明のために参照し、本明細書の構成要素であると考えなければならない欧州特許出願公開第Ａ１４１６４７３０．５号明細書によると、吊り下げ用ブラケット装置のフックによって壁に固定される支持体に戸棚が引っ掛けられる壁戸棚のための外れ防止システムが、提案されている。
【００１３】
前記外れシステムは、着脱可能な往復式拘束手段が前記フックと前記支持体との間に想定される形式である。
【００１４】
前記着脱可能な往復式拘束手段は、前記フック上に螺合されて、前記支持体との干渉に好適なビードからなる。システムは、側方ブロックまたはストップ要素が、前記戸棚に作用する水平力によって引き起こされる同じビードの側方移動に対して前記ビードと協働することを特徴とする。
【００１５】
戸棚自体に偶発的に加えられる垂直及び／または水平力によって引き起こされる、壁戸棚の支持体からの偶発的な外れを防止するために、説明のために参照し、本明細書の構成要素と考えなければならない２０１１年３月２９日に同じ出願人により出願された欧州特許出願公開第Ａ１１７１２４８１．８号明細書に記載されて、説明されているものなどの、隠された吊り下げ用ブラケットも提案されている。
【００１６】
手短に言えば、欧州特許出願公開第Ａ１１７１２４８１．８号明細書は、吊り下げ用ブラケットの深さ（水平）及び高さ（垂直）の調節機構体の２つのリードスクリュー、ならびに外れ防止システムのビードが、吊り下げ用ブラケットのベース上を走る摺動部材上ですべて取り付けられる隠された吊り下げ用ブラケットを記載している。
【００１７】
外れ防止システムのビードは、深さ及び高さの調節機構体の２つのリードスクリューの間で、吊り下げ用ブラケットのフックより上に設置され、それは深さの調節機構体と同じスクリューの頭部からなる。
【００１８】
外れ防止は、壁に対する戸棚の支持プレートまたは棒によって特に形成される前記ビードと窓との間の係合によって作動する。
【００１９】
この形式のシステムは、非常に申し分のない結果を与えているが、壁に対する戸棚の支持プレートのコストのかかる処理を必要とし、材料に多くの無駄が発生する。
【００２０】
本発明の目的は、この問題を解決する隠された吊り下げ用ブラケットを提供することである。
【００２１】
欧州特許出願公開第Ａ１０７０８１４７．３号明細書及び欧州特許出願公開第Ａ１４１６４７３０．５号明細書の教示によって製作される吊り下げ用ブラケットも、完全に申し分のない結果を提供しており、本発明のさらなる目的は、その構成がさらに簡単であり、壁に対する戸棚の取付けを複雑にしない外れ防止システムを有する隠された吊り下げ用ブラケットを提供することである。
【００２２】
戸棚の壁への取付けは、外れ防止システムのビード（その位置による）が、そのスクリュー経路の間で、壁に固定される支持体（棒またはプレート）の固定ジベルまたはスクリューの頭部に遭遇する可能性があるという事実によって複雑になる可能性がある。
【００２３】
この場合、壁に固定される棒またはプレートとビードが正確に相互作用できないため、外れ防止システムは有効にならない。
【００２４】
したがって、本発明のさらなる目的は、そのような出来事の可能性を排除することである。
【００２５】
本発明の別の目的は、容易に解放できる、すなわち、必要な場合、戸棚の容易かつ迅速な壁からの取り外しを可能にする外れ防止システムを有する隠された吊り下げ用ブラケットを提供することである。
【課題を解決するための手段】
【００２６】
上述の目的は、本発明に従い、添付の特許請求の範囲の主クレーム及び従属クレームで定義される万全の外れ防止システムを有する隠された吊り下げ用ブラケットによって達成される。
【００２７】
本発明の構造的及び機能的特性、ならびに既知の技術に対するその利点は、添付図面を参照して、添付の説明から容易に理解することができ、それは本発明の革新的な原理に従って製作される壁戸棚のための外れ防止システムを有する隠された吊り下げ用ブラケットの可能な例示する実施形態を示す。
【図面の簡単な説明】
【００２８】
【図１】図１は、壁に固定される支持棒に引っ掛ける段階の戸棚を有する本発明による外れ防止システムを有する隠された吊り下げ用ブラケットの可能な実施形態を示す斜視図である。
【図２】図２は、図１の戸棚の平面断面における詳細である。
【図３】図３は、図１の戸棚の縦断面における詳細である。
【図４】図４は、壁に固定された棒に引っ掛けられた吊り下げ用ブラケットを示す図１に類似の斜視図であるが、外れ防止システムはまだ有効ではない（作動していない）。
【図５】図５は、図４の戸棚の平面断面における詳細である。
【図６】図６は、図４の戸棚の縦断面における詳細である。
【図７】図７は、戸棚の壁に対して有効なブロック位置における外れ防止システムを示す図４に類似の図である。
【図８】図８は、戸棚の壁に対して有効なブロック位置における外れ防止システムを示す図５に類似の図である。
【図９】図９は、戸棚の壁に対して有効なブロック位置における外れ防止システムを示す図６に類似の図である。
【図１０】図１０は、２つの対向する側からの本発明の吊り下げ用ブラケットを示す２つの斜視図のうちの１つである。
【図１１】図１１は、２つの対向する側からの本発明の吊り下げ用ブラケットを示す２つの斜視図のうちの１つである。
【図１２】図１２は、吊り下げ用ブラケットの拡大正面図である。
【図１３】図１３は、吊り下げ用ブラケットの拡大側面図である。
【図１４】図１４は、吊り下げ用ブラケットの後側の拡大図である。
【図１５】図１５は、壁に固定された支持体に引っ掛けられた吊り下げ用ブラケットの線Ａ−Ａによる縦断面である。
【図１６】図１６は、図１５の状態の吊り下げ用ブラケットの部分断面斜視図である。
【図１７】図１７は、既知の技術による外れ防止システムを示す縦断面であり、ブロックスクリューは、戸棚が引っ掛けられるプレート自体の壁に固定するスクリューまたはジベルの頭部と干渉するため、運用可能になることができない。
【発明を実施するための形態】
【００２９】
図面を参照すると、１０は全体として、構造が一般に知られている、たとえば欧州特許出願公開第Ａ１１７１２４８１．８号明細書に記載されている形式である、隠された吊り下げ用ブラケット装置を示す。
【００３０】
吊り下げ用ブラケット１０は、ベース１３上を走る摺動部材１２から延在する可動フック歯１１を備える。
【００３１】
歯１１の深さ（水平）及び高さ（垂直）の位置の２つの調節機構体（既知）は、それぞれのリードスクリュー１４、１５によって、摺動部材１２上に取り付けられる。
【００３２】
歯１１は、たとえば、円形頭部の形態とすることができるスクリュー１４の自由端と一体である。
【００３３】
歯１１は、ジベル１９によって壁１８に固定される、支持体である金属棒１７の対応する部分１６に引っ掛けられることになっている。
【００３４】
図面から明確に参照できるように、金属棒１７の部分１６は、壁１８、及び歯１５が収容されるチャンネル２０で画定される。
【００３５】
金属棒１７は好ましくは、そして一例として、上記部分１６が垂直に延在する上部翼ＡＳからの「Ｃ」字形部分を有する。
【００３６】
しかし、金属棒１７は、示される「Ｃ」字形部分と異なる部分、たとえば、「Ｃ」の下部翼ＡＩがない、または他の部分である部分を有することができる。
【００３７】
本発明による外れ防止システムは、フック歯１１及び金属棒１７と協働し、図面に示される実施形態において、ねじ切りされた部分２２と、先端２３と、操作ツール、たとえばネジ回し２５のための形づくられた頭部２４とを備えるビード２１からなる。
【００３８】
前記ビード２１は、摺動部材１２上に直接形成されるねじ切りされたシート２６に螺合される。
【００３９】
ビード２１は、歯１１に対して、略同一の高さ「ｑ」で実質的に対向し、完全にはオフセットされない。
【００４０】
より詳細には、前記ビード２１の軸は、歯１１の周縁に実質的に接する。
【００４１】
本発明によると、ビード２１の先端２３（末端部）は、金属棒１７の部分１６から直接折り曲げられる水平フラップ（縁）１６Ａと係合する。
【００４２】
このように、壁戸棚を水平に移動させる場合に、フック１１を守り、ブロックする側方端止め１６Ｂが、追加のコストがかかる作業なしに、そして材料の無駄なしに、自動的に形成される。
【００４３】
上記のように製作される吊り下げ用ブラケット装置１０は、部分的に２９で示され、肩部３０と、上部３１と、ライニング３２とを備える壁戸棚に固定される。
【００４４】
より詳細には、前記戸棚２９の（左右の）上後角部に対応して、一方のみ示されている前記吊り下げ用ブラケット１０の２つは、ライニング３２の背後に固定される。
【００４５】
本発明による外れ防止システムの機能は、図１〜９の作動順序で明確に示され、簡潔には以下の通りである。
【００４６】
戸棚は、スクリュー２１が図１〜６に示される引き抜かれた非作動位置にあり、歯１１をチャンネル２０に挿入する（図４〜６）ことによって、壁１８に引っ掛けられる。
【００４７】
このように、戸棚２９の重量により、歯１１は金属棒１７の部分１６で係合する（図４〜６）。
【００４８】
そのため、戸棚２９が設置されると、深さ及び高さの両方を調節した後に、先端または終端２３が金属棒１７の水平フラップ１６Ａによって形成されるアンダカットと係合するように、ビード２１がネジ回し２５によって、図７〜９の作動前方位置に螺合される。
【００４９】
システムが有効になると、ビード２１は一般に、前記フラップ１６Ａの下で、前記翼ＡＳ（図９）より実質的に上に位置する平面Ｐ上にある。
【００５０】
このように、上向きの力が戸棚２９に偶発的に加えられる場合、ビード２１とフラップ１６Ａとの間の干渉が、金属棒１７の部分１６からの歯１１の外れを防止することは明らかである。
【００５１】
さらにまた、金属棒１７のチャンネル２０から歯１１を解放し、戸棚を落下させる可能性がある偶発的な横力を受けるとき、歯１１が設置される側方ブロック止め具１６Ｂの存在により、戸棚２９の落下が防止される。
【００５２】
必要な場合、逆に、金属棒１７の部分１６からの歯１１の望ましい解放は、図１〜６の引き抜かれた非作動位置に戻すように、ビード２１を単にゆるめることによって得られる。
【００５３】
したがって、説明の導入部で言及された目的、特に、外れ防止システムのビードまたはスクリュー２１が、そのスクリュー経路の間で、図１７に示されるように、壁で、支持体１７（金属棒またはプレート）の固定ジベルまたはスクリュー１９の頭部に遭遇することを防止する非常に重要な目的が達成される。遭遇した場合は、ビード２１の末端部が「Ｃ」の上部翼ＡＳによって画定される支持体１７のアンダカット１６Ａと係合される可能性はないため、同じシステムが無効になってしまう。
【００５４】
この点において、吊り下げ用ブラケットは、耐荷重性の明らか理由のために、支持体の固定ジベルまたはスクリュー１９より上で壁に引っ掛けられることに留意されたい。
【００５５】
この欠点は、たとえば欧州特許出願公開第Ａ１４１６４７３０．５号明細書からなる、既知の技術による外れ防止システムで生じる可能性がある。
【００５６】
本発明の保護範囲は、添付の特許請求の範囲によって定められる。
【図１】
0006770440.tif 000002
【図２】
0006770440.tif 000003
【図３】
0006770440.tif 000004
【図４】
0006770440.tif 000005
【図５】
0006770440.tif 000006
【図６】
0006770440.tif 000007
【図７】
0006770440.tif 000008
【図８】
0006770440.tif 000009
【図９】
0006770440.tif 000010
【図１０】
0006770440.tif 000011
【図１１】
0006770440.tif 000012
【図１２】
0006770440.tif 000013
【図１３】
0006770440.tif 000014
【図１４】
0006770440.tif 000015
【図１５】
0006770440.tif 000016
【図１６】
0006770440.tif 000017
【図１７】
0006770440.tif 000018